(57)【特許請求の範囲】
【請求項１】
構造物の柱および梁の各々に固定する一対のガゼットと、内面にコンクリート層を有する一対の鋼材間にブレース板を挟持させた座屈拘束ブレースとを有し、前記ガゼットは前記柱および梁に固定する平面部と前記平面部から直立する舌部とを備え、前記舌部に前記ブレース板を受ける切込部を形成し、前記切込部に前記ブレース板の先端を挿入して前記舌部と前記ブレース板とを十字型に直交させて溶接することを特徴とする構造物の柱と梁の接合構造。
【請求項２】
前記ブレース板の平面を、前記座屈拘束ブレースを配設する壁面に対して直角方向に配置することを特徴とする請求項１に記載の構造物の柱と梁の接合構造。
【請求項３】
前記舌部には前記切込部周辺において切り込み方向に直交する端面を有し、前記座屈拘束ブレースの鋼材端面と前記舌部の前記端面との間に間隙を持たせて前記舌部と前記ブレース板とを固定することを特徴とする請求項１に記載の構造物の柱と梁の接合構造。
【請求項４】
前記ブレース板の中央部に幅狭部を形成することを特徴とする請求項１に記載の構造物の柱と梁の接合構造。
【請求項５】
前記ブレース板の両端部の前記間隙を含む位置に重ね板を溶接することを特徴とする請求項３に記載の構造物の柱と梁の接合構造。
【請求項６】
前記切込部を前記平面部に達する位置まで形成し、前記ブレース板の先端と前記平面部とを突き合わせ溶接することを特徴とする請求項１に記載の構造物の柱と梁の接合構造。
【請求項７】
前記ブレース板と前記舌部とを隅肉溶接することを特徴とする請求項６に記載の構造物の柱と梁の接合構造。
【請求項８】
前記切込部の形成を、前記平面部に達しない位置までとし、前記ブレース板と前記舌部とを隅肉溶接することを特徴とする請求項１に記載の構造物の柱と梁の接合構造。
【請求項９】
前記ガゼットの平面部には前記ガゼットを前記構造物の柱または梁に固定するための複数のボルト孔を有し、複数の前記ボルト孔を長孔とすることを特徴とする請求項１に記載の構造物の柱と梁の接合構造。
【発明の詳細な説明】
【技術分野】
【０００１】
本発明は、鉄骨構造物の鋼材製の柱と鋼材製の梁間に座屈拘束ブレースを架設して、地震などにより鉄骨構造物に大きなエネルギーが加わったときにそのエネルギーを座屈拘束ブレースで吸収し、構造物の振れを減少させる構造物の柱と梁の接合構造に関する。
【背景技術】
【０００２】
従来、鋼材製の柱と鋼材製の梁を骨組とした鉄骨構造物に、鋼管とその内部に配置された鋼材との間にコンクリートを充填した座屈拘束ブレースを架設して、地震などによるエネルギーをこの座屈拘束ブレースで吸収し、鋼材製の柱と鋼材製の梁の永久変形を防止するとともに、地震後に必要に応じて座屈拘束ブレースを交換するだけで耐震鉄骨構造物を再現できる構成の耐震鉄骨構造物が提案されている（たとえば、特許文献１参照）。
特許文献１における構成は、ブレース板の端部を十字型に構成し、鋼材製の梁に十字型の鋼材製取付金具を溶接し、ブレース板の端部と鋼材製取付金具とを突き合わせて鋼製継手板によって結合するものである。
【特許文献１】特開平６−５７８２０号公報（（０００４）、（０００６）、（０００９）および図１など）
【発明の開示】
【発明が解決しようとする課題】
【０００３】
特許文献１の構成は、大地震が発生したときに、座屈拘束ブレースが弾塑性の挙動をし、座屈拘束ブレースの低降伏点鋼材が降伏して地震エネルギーを吸収することにより、鋼材製の柱と鋼材製の梁の永久変形を防止することができる。
しかし、特許文献１における座屈拘束ブレースは、ブレース板の端部と鋼材製取付金具とをそれぞれ十字型に構成して突き合わせているため、接合部が長くなってしまい地震エネルギーを吸収する座屈拘束ブレース長さに影響を及ぼしてしまう。
【０００４】
本発明はこのような課題を解決するもので、接合部長さを短くするとともに、鉄骨構造物への取り付け作業を容易に行え、地震などにより鉄骨構造物に大きなエネルギーが加わったときにそのエネルギーを座屈拘束ブレースで確実に吸収し、構造物の振れを減少させて、構造物の柱と梁の変形を防止することが可能な柱と梁の接合構造を提供することを目的とする。
【課題を解決するための手段】
【０００５】
請求項１記載の本発明の構造物の柱と梁の接合構造は、構造物の柱および梁の各々に固定する一対のガゼットと、内面にコンクリート層を有する一対の鋼材間にブレース板を挟持させた座屈拘束ブレースとを有し、前記ガゼットは前記柱および梁に固定する平面部と前記平面部から直立する舌部とを備え、前記舌部に前記ブレース板を受ける切込部を形成し、前記切込部に前記ブレース板の先端を挿入して前記舌部と前記ブレース板とを十字型に直交させて溶接することを特徴とする。
請求項２記載の本発明は、請求項１に記載の構造物の柱と梁の接合構造において、前記ブレース板の平面を、前記座屈拘束ブレースを配設する壁面に対して直角方向に配置することを特徴とする。
請求項３記載の本発明は、請求項１に記載の構造物の柱と梁の接合構造において、前記舌部には前記切込部周辺において切り込み方向に直交する端面を有し、前記座屈拘束ブレースの鋼材端面と前記舌部の前記端面との間に間隙を持たせて前記舌部と前記ブレース板とを固定することを特徴とする。
請求項４記載の本発明は、請求項１に記載の構造物の柱と梁の接合構造において、前記ブレース板の中央部に幅狭部を形成することを特徴とする。
請求項５記載の本発明は、請求項３に記載の構造物の柱と梁の接合構造において、前記ブレース板の両端部の前記間隙を含む位置に重ね板を溶接することを特徴とする。
請求項６記載の本発明は、請求項１に記載の構造物の柱と梁の接合構造において、前記切込部を前記平面部に達する位置まで形成し、前記ブレース板の先端と前記平面部とを突き合わせ溶接することを特徴とする。
請求項７記載の本発明は、請求項６に記載の構造物の柱と梁の接合構造において、前記ブレース板と前記舌部とを隅肉溶接することを特徴とする。
請求項８記載の本発明は、請求項１に記載の構造物の柱と梁の接合構造において、前記切込部の形成を、前記平面部に達しない位置までとし、前記ブレース板と前記舌部とを隅肉溶接することを特徴とする。
請求項９記載の本発明は、請求項１に記載の構造物の柱と梁の接合構造において、前記ガゼットの平面部には前記ガゼットを前記構造物の柱または梁に固定するための複数のボルト孔を有し、複数の前記ボルト孔を長孔とすることを特徴とする。
【発明の効果】
【０００６】
本発明によれば、地震などにより鉄骨構造物に加わる地震エネルギーを確実に吸収する座屈拘束ブレースの接合部長さを短くしてエネルギー吸収部分の長さを長くすることができるとともに、鉄骨構造物に容易に取り付けることができる。
【発明を実施するための最良の形態】
【０００７】
本発明の第１の実施の形態による構造物の柱と梁の接合構造は、舌部にブレース板を受ける切込部を形成し、切込部にブレース板の先端を挿入して舌部とブレース板とを十字型に直交させて溶接するものである。本実施の形態によれば、ガゼットの舌部とブレース板とを直交させて十字型の接続部を形成するために、接合部長さを短くするとともに、接続部の強度を保ちつつ取り付け作業を容易に行うことができる。また、この十字型の接続部を形成するにあたって、ガゼットの舌部側に切り込みを形成してブレース板には切り込みやボルト孔を形成しないため、接続部における局部座屈を防止することができ、座屈拘束ブレースの機能を損なうことがない。また、ブレース板は鋼材間でコンクリートにより巻かれるので、改めて耐火被覆を施す必要はない。
本発明の第２の実施の形態は、第１の実施の形態による構造物の柱と梁の接合構造において、座屈拘束ブレースを配設する壁面に対して直角方向に配置するものである。本実施の形態によれば、構造物の柱や梁に加わる力を座屈拘束ブレースによって確実に吸収することができるので、柱や梁の変形を防止することができる。
本発明の第３の実施の形態は、第１の実施の形態による構造物の柱と梁の接合構造において、舌部には切込部周辺において切り込み方向に直交する端面を有し、座屈拘束ブレースの鋼材端面と舌部の端面との間に間隙を持たせて舌部とブレース板とを固定するものである。本実施の形態によれば、座屈拘束ブレースの伸縮を間隙によって吸収してガゼットに加わらないようにすることができる。
本発明の第４の実施の形態は、第１の実施の形態による構造物の柱と梁の接合構造において、ブレース板の中央部に幅狭部を形成したものである。本実施の形態によれば、降伏点をブレース板の中央部の幅狭部に集中させることにより、座屈拘束ブレースの鋼材およびコンクリートの端面とガゼットの舌部との間隙におけるブレース板の降伏を防止することができる。
本発明の第５の実施の形態は、第３の実施の形態による構造物の柱と梁の接合構造において、ブレース板の両端部の間隙を含む位置に重ね板を溶接するものである。本実施の形態によれば、このように重ね板を設けることでブレースが耐力的に不利にならないように断面補強を行わうことができる。
本発明の第６の実施の形態は、第１の実施の形態による構造物の柱と梁の接合構造において、切込部を平面部に達する位置まで形成し、ブレース板の先端と平面部とを突き合わせ溶接するものである。本実施の形態によれば、ブレース板の先端と平面部とを突き合わせ溶接するだけとし、接合耐力をすべてこの溶接部分で伝達できるものとすることで、ガゼットの飛び出し寸法を少なくすることができる。
本発明の第７の実施の形態は、第６の実施の形態による構造物の柱と梁の接合構造において、ブレース板と舌部とを隅肉溶接するものである。本実施の形態によれば、ブレース板の先端と平面部とを、またブレース板と舌部とをすべて隅肉溶接することで、挫屈拘束ブレースの接合耐力確保と振れ止めとの二つの効果を同時に満足することができる。
本発明の第８の実施の形態は、第１の実施の形態による構造物の柱と梁の接合構造において、切込部の形成を、平面部に達しない位置までとし、ブレース板と舌部とを隅肉溶接するものである。本実施の形態によれば、特に低層建物の場合には、ブレース耐力が低いため、このような構成においてもガゼットの舌部の突出寸法を大きくすることなく挫屈拘束ブレースの接合耐力を確保することができる。
本発明の第９の実施の形態は、第１の実施の形態による構造物の柱と梁の接合構造において、ガゼットを柱または梁に固定するためのボルト孔の少なくとも一部を長孔としたものである。本実施の形態によれば、座屈拘束ブレースを接合したガゼットを柱や梁に固定する際に、ガゼットと柱や梁との位置を調整可能として位置あわせを容易にすることができる。
【実施例１】
【０００８】
以下本発明の実施例について図面とともに詳細に説明する。
図１は本発明の実施例１による構造物の柱と梁の接合構造の構成を示す側面図である。鋼材製の柱１１と鋼材製の梁１２により鉄骨構造物の骨組みが構成される。鋼材製の柱１１と鋼材製の梁１２の接合は、剛接、半剛接あるいはピン接合により接合される。図１にはボルト１３によるピン接合の例を示す。柱１１と梁１２間には、座屈拘束ブレース１４およびその両端に連結された鋼材製のガゼット１５、１６からなる方杖１７が配置され、柱１１にボルト１８でガゼット１５を、梁１２にボルト１９でガゼット１６を固定して架設される。方杖１７は鉄骨構造物が地震等により損傷する可能性がある場合に、地震エネルギーを方杖１７に集中させる損傷制御部材として作用する。
【０００９】
図２（ａ）は、座屈拘束ブレース１４の分解斜視図である。座屈拘束ブレース１４は、断面がＬ字型、コの字型などの角型あるいは半円型で構成された鋼材の内面にコンクリート層２３を形成した上部鋼材２１と、同様に断面がＬ字型、コの字型などの角型あるいは半円型で構成された鋼材の内面にコンクリート層２４を形成した下部鋼材２２の間に鋼材製のブレース板２５を配置させ、上部鋼材２１のコンクリート層２３と下部鋼材２２のコンクリート層２４によりブレース板２５を挟持させて上部鋼材２１および下部鋼材２２を結合する。図２（ｂ）に、ブレース板２５を上部鋼材２１および下部鋼材２２で挟持させて結合した状態における端部の様子を示す。
ブレース板２５は上部鋼材２１および下部鋼材２２の両端に延長する長さを有しており、その中央部は幅が若干狭い幅狭部２６を形成している。この幅狭部２６の作用については後述する。また、ブレース板２５の中央部近辺の上下面には鋼製の突起２７、２８が設けられ、上部鋼材２１のコンクリート層２３および下部鋼材２２のコンクリート層２４が固まっていないやわらかい間に突起２７、２８をコンクリート層２３、２４に埋め込んだ状態でブレース板２５を上部鋼材２１および下部鋼材２２間に挟持させる。この突起２７、２８は、座屈拘束ブレース１４に地震エネルギーが加えられた際に、ブレース板２５が上部鋼材２１および下部鋼材２２間で滑動しないように作用する。なお、ブレース板２５は上部鋼材２１および下部鋼材２２間でコンクリート層２３、２４により巻かれるので、改めて耐火被覆を施す必要はない。
【００１０】
図３は鋼材製ガゼット１５の斜視図である。ガゼット１５は柱１１に固定する平面部３１と平面部３１の表面から直角方向に直立する舌部３２、および、平面部３１と舌部３２の間に配置された複数の三角形状の補強部材３３から構成されている。平面部３１には、ガゼット１５を柱１１にボルト１８で固定するための複数のボルト孔３４が設けられている。ボルト孔３４はガゼット１５を柱１１に固定する位置を長さ方向に調整可能とするように長孔形状に形成する。
ガゼット１５の舌部３２は角部が切断されており、その切断面３５に直交する方向に切込部３６が形成されている。この切込部３６は平面部３１に達していることが好ましい。切込部３６には、図４に示すように、座屈拘束ブレース１４のブレース板２５が舌部３２と十字型に交差するように溶接接合される。この溶接接合は、ブレース板２５の先端と平面部３１とを突き合わせ溶接する場合と、ブレース板２５とガゼット１５の舌部３２とをすべて隅肉溶接することによって行う。このようにブレース板２５の先端と平面部３１とを、またブレース板２５と舌部３２とを溶接することで、挫屈拘束ブレース１４の接合耐力確保と振れ止めとの二つの効果を同時に満足することができる。座屈拘束ブレース１４は、地表面に対して角度θだけ傾斜し、ブレース板２５の平面が、座屈拘束ブレース１４を配設する壁面に対して直角方向となるように配置する。したがって、切込部３６の切込方向は座屈拘束ブレース１４の設置角度θにより規定される。たとえば、座屈拘束ブレース１４の設置角度θが地表面に対して３０度であれば切込部３６の方向は地表面に対して３０度、平面部３１に対しては６０度である。このとき、座屈拘束ブレース１４の鋼材２１、２２およびコンクリート層２３、２４の端面と舌部３２の切断面３５との間には、図１に示すように、微小な間隙２０を持たせて接合する。微小な間隙２０の大きさは１０ｍｍ程度が好ましい。この間隙２０は、地震エネルギーにより座屈拘束ブレース１４が伸縮した場合に、その伸縮量を吸収してガゼット１５に加わらないようにするために設けられる。なお切込部３６は、図３に示すように平面部３１まで達していることが好ましい。またブレース板２５の両端部の端面は、図２に示すように平面部３１に当接するように傾斜させて構成することが好ましい。
【００１１】
座屈拘束ブレース１４の反対側の端部におけるガゼット１６も平面部３１が梁１２に固定される点および切込部３６の方向以外は図３、図４と同様な構成である。したがって、以下の説明においてはガゼット１６の構成および動作は図３、図４と同一の符号により説明する。ガゼット１６は、平面部３１が梁１２に固定されるので、ガゼット１６の切込部３６の方向は、座屈拘束ブレース１４の設置角度が地表面に対して３０度であれば平面部３１に対しては３０度である。また、ガゼット１６においても、座屈拘束ブレース１４の鋼材２１、２２およびコンクリート層２３、２４の端面と舌部３２の切断面３５との間には微小な間隙２０を持たせて接合する。
【００１２】
つぎに動作を説明する。
まず、座屈拘束ブレース１４の両端に柱固定用のガゼット１５および梁固定用のガゼット１６をそれぞれブレース板２５が舌部３２と十字型に交差するように溶接接合して方杖１７を作成する。このとき、ガゼット１５、１６の切断面３６と座屈拘束ブレース１４の鋼材２１、２２およびコンクリート層２３、２４の端面と舌部３２の切断面３５との間に微小な間隙を持たせて接合する。
つぎに、柱固定用のガゼット１５の平面部３１を柱１１に当て、ボルト１８をボルト孔３４に通してナットにより締め付けて固定する。このとき、ボルト孔３４が長孔であるので、平面部３１と柱１１との取り付け位置を調整することができる。また、柱１１側のボルト孔を長孔としないことにより構造物の強度低下を防止することができる。
つぎに、梁固定用のガゼット１６の平面部３１を梁１２に当て、同様にボルト１９をボルト孔３４に通してナットにより締め付けて固定する。このとき、ボルト孔３４が長孔であるので、平面部３１と梁１２との取り付け位置を調整することができる。また、梁１２側のボルト孔を長孔としないことにより構造物の強度低下を防止することができる。なお、ガゼット１５の柱１１への固定とガゼット１６の梁１２への固定の順序を逆にしても良いことはいうまでもない。
こうして柱１１と梁１２間に方杖１７を架設する作業を、図５に示すように、鉄骨構造物の柱１１と梁１２の各所に行うことにより鉄骨構造物の損傷制御構造が完成する。
【００１３】
この状態で鉄骨構造物に地震エネルギーが加わったとき、柱１１および梁１２は地震エネルギーにより振動するが、その振動エネルギーは方杖１７に伝達される。
方杖１７に振動エネルギーが伝達されると、方杖１７の強度的に弱い部分が損傷する。前述したように、方杖１７はガゼット１５、１６の舌部３２に形成された切込部３６にブレース板２５の先端を十字型を形成するように嵌合させて溶接しているので、この接合部分は接合断面が大きく強度が大きい。したがって、ガゼット１５、１６と座屈拘束ブレース１４との接続部における拘束が十分であり、接続部において局部座屈をすることはない。
一方、方杖１７は図１に示すようにガゼット１５、１６と座屈拘束ブレース１４との接続端部に間隙２０を有している。この間隙２０の位置には座屈拘束ブレース１４のブレース板２５しか存在しないので、ブレース板２５の間隙２０の位置で降伏する可能性がある。しかし、ブレース板２５は、図２に示すように、中央部に間隙２０の位置におけるブレース板２５の幅より狭い幅の幅狭部２６が形成されているので、振動エネルギーはブレース板２５の間隙２０の位置よりも幅狭部２６において降伏する。この結果、座屈拘束ブレース１４が変形あるいは損傷することにより振動エネルギーを吸収し、地震エネルギーによる構造物の振れを減少させて柱１１および梁１２の変形や損傷を防止ないしは最小限に抑えることができる。
なお、幅狭部２６の長さ、すなわち、ブレース板２５の長さ方向に沿った長さを変えることにより降伏位置を調整することができる。
【００１４】
変形あるいは損傷した座屈拘束ブレース１４は外部からの観察により損変形や損傷が確認できるので、地震終了後、座屈拘束ブレース１４が変形あるいは損傷した方杖１７を柱１１および梁１２から取り外し、新しい方杖１７を当該柱１１および梁１２に取り付けることができる。
なお、方杖１７に振動エネルギーが伝達した際、そのエネルギーにより座屈拘束ブレース１４が伸縮してガゼット１５、１６に振動エネルギーが加わり、ガゼット１５、１６を損傷させる虞があるが、本実施例においては、座屈拘束ブレース１４の鋼材２１、２２およびコンクリート層２３、２４の端面とガゼット１５、１６との間には間隙２０を有するので、座屈拘束ブレース１４の伸縮は間隙２０で吸収される。したがって、ガゼット１５、１６が損傷することはない。
また、座屈拘束ブレース１４に地震エネルギーが加えられた際に、ブレース板２５は突起２７、２８がコンクリート層２３、２４に埋没して固定されているので、ブレース板２５が上部鋼材２１および下部鋼材２２の間で滑動することはない。
さらに、本実施例においては、図４に示すように、座屈拘束ブレース１４は、ブレース板２５の平面が地表面に対して角度θだけ傾斜し、ブレース板２５の平面が、座屈拘束ブレース１４を配設する壁面に対して直角方向となるように配置する。したがって、鉄骨構造物の柱１１、梁１２に加わる力を確実に吸収することができるので、柱１１および梁１２の変形を防止することができる。
【実施例２】
【００１５】
図６は本発明の実施例２による構造物の柱と梁の接合構造における柱側のガゼットと座屈拘束ブレースとの接続部を示す斜視図である。実施例１との相違点は、ガゼット４０の構成および座屈拘束ブレース１４を配置する方向である。その他の構成は実施例１と同様である。
ガゼット４０は柱に固定する平面部４１と平面部４１の表面から角度θを持って立設された舌部４２、および、平面部４１と舌部４２の間に配置された複数の三角形状の補強部材４３から構成されている。ここで舌部４２は、座屈拘束ブレース１４を配設する壁面に対して直角方向となり、ブレース板２５の平面は、座屈拘束ブレース１４を配設する壁面と平行な方向となるように配置している。平面部４１には、ガゼット４０を柱にボルトで固定するための複数のボルト孔４４が設けられている。ボルト孔４４は実施例１と同様に、ガゼット４０を柱に固定する位置を調整可能とするように長孔形状に形成される。
ガゼット４０の舌部４２は、その断面４５に直交する方向に切込部４６が形成されている。切込部４６には、座屈拘束ブレース１４のブレース板２５が舌部４２と十字型に交差するように溶接接合される。なお本実施例においても切込部４６は、平面部４１まで達していることが好ましい。またブレース板２５の両端部の端面は、平面部４１に当接するように傾斜させて構成することが好ましい。
座屈拘束ブレース１４の反対側の端部における梁に対するガゼットは、平面部４１が梁１２に固定される点および切込部４６の方向以外は図６と同様に構成される。
実施例２の構成によれば、座屈拘束ブレース１４のブレース板２５が座屈拘束ブレース１４を配設する壁面と平行な方向となるように配置されるので、施工が簡単であり、また、壁の厚さを薄くすることもできる。
なお、上記実施例では、補強部材３３、４３を設けた場合で説明したが、切込部３６、４６を、平面部３１、４１まで達するように構成するとともにブレース板２５の両端部と平面部３１、４１とを溶接によって固定することで補強部材３３、４３を用いることなく構成することができる。
また、本実施例における座屈拘束ブレース１４の設置角度θは、地表面に対して４５度から３０度の範囲とすることが好ましい。
また、本実施例においては、中央部に幅狭部２６を形成しているブレース板２５を用いたが、幅狭部２６を形成しなくてもよい。幅狭部２６を形成しない場合には、ブレース板２５の両端部に重ね板を溶接することが好ましい。この重ね板は、上部鋼材２１および下部鋼材２２から突出した箇所でガゼット１５、１６と接合されていない間隙２０を含むように設ける。すなわち、この重ね板の一端側は、上部鋼材２１および下部鋼材２２によって挟持される位置に配置され、重ね板の他端側は、ブレース板２５の端部付近に配置されるように設ける。このように重ね板を設けることで間隙２０が耐力的に不利にならないように断面補強が行われる。
また、本実施例においては、ブレース板２５の先端と平面部３１とを突き合わせ溶接する場合と、ブレース板２５とガゼット１５の舌部３２とをすべて隅肉溶接する場合で説明したが、ブレース板２５の先端と平面部３１とを突き合わせ溶接するだけとし、接合耐力をすべてこの溶接部分で伝達できるものとした場合には、ガゼット１５、１６の飛び出し寸法を少なくすることができる。
また、本実施例においては、平面部３１に達している切込部３６を設けた場合で説明したが、切込部３６の深さが平面部３１に達していなくてもよい。この場合には、ブレース板２５の接合耐力及び振れ止めを確保するために、ブレース板２５と舌部３２との接触部分をすべて隅肉溶接接合とすることが好ましい。特に低層建物の場合には、ブレース耐力が低いため、このような構成においてもガゼット１５、１６の舌部３２の突出寸法を大きくすることなく実現できる。
【産業上の利用可能性】
【００１６】
本発明による構造物の柱と梁の接合構造は、ビルディングや中高層住宅などの鉄骨構造による中高層建築物、あるいは、個人住宅や商業施設、店舗などの鉄骨構造による中低層建築物の損傷制御構造に適用して有用である。
【図面の簡単な説明】
【００１７】
【図１】本発明の実施例１における構造物の柱と梁の接合構造の構成を示す側面図
【図２】本発明の実施例１における構造物の柱と梁の接合構造の座屈拘束ブレースの斜視図で、（ａ）は分解斜視図、（ｂ）は（ａ）の各部品を結合した状態の端部の斜視図
【図３】本発明の実施例１における構造物の柱と梁の接合構造の柱側のガゼットの斜視図
【図４】本発明の実施例１における構造物の柱と梁の接合構造の柱側のガゼットと座屈拘束ブレースとの接続状態を説明する斜視図
【図５】本発明の実施例１における構造物の柱と梁の接合構造を鉄骨構造における柱と梁に適用した場合の概念的側面図
【図６】本発明の実施例２における構造物の柱と梁の接合構造の柱側のガゼットと座屈拘束ブレースとの接続状態を説明する斜視図
【符号の説明】
【００１８】
１１  柱
１２  梁
１３  ボルト
１４  座屈拘束ブレース
１５、１６  ガゼット
１７  方杖
１８、１９  ボルト
２１  上部鋼材
２２  下部鋼材
２３、２４  コンクリート層
２５  ブレース板
２６  幅狭部
２７、２８  突起
３１、４１  平面部
３２、４２  舌部
３３、４３  補強部材
３４、４４  ボルト孔
３５，４５  切断面
３６、４６  切込部
４０  ガゼット
【要約】
【課題】地震などにより鉄骨構造物に加わるエネルギーを吸収する座屈拘束ブレースを、鉄骨構造物に容易に取り付けることができる。
【解決手段】構造物の柱１１および梁１２の各々に固定する一対のガゼット１５、１６に、内面にコンクリート層２３、２４を有する一対の鋼材２１、２２間にブレース板２５を挟持させた座屈拘束ブレース１４を連結する。ガゼット１５、１６の各々は、柱１１および梁１２に固定する平面部３１と平面部３１から直立する舌部３２を備えており、舌部３２には座屈拘束ブレース１４のブレース板２５を受ける切込部３６が形成されている。この切込部３６にブレース板２５の先端を挿入して舌部３２とブレース板２５とが十字型を構成するように溶接する。
【選択図】        図４
【図１】
0003621947.tif 000002
【図２】
0003621947.tif 000003
【図３】
0003621947.tif 000004
【図４】
0003621947.tif 000005
【図５】
0003621947.tif 000006
【図６】
0003621947.tif 000007